(57)【要約】【課題】消費電力を低減して加湿量を増加させることができる空気調和機を提供する。【解決手段】本体と、空気を吸込む吸込口３と、空気中の塵を削減する除塵フィルタ５と、冷媒を凝縮させる凝縮器６と、空気を加湿する加湿フィルタ７とを備え、吸込口３側から空気の流れに対して、本体２内に、除塵フィルタ５、凝縮器６、加湿フィルタ７の順に配置し、凝縮器６の下流側に湿フィルタ７を設ける。これにより凝縮器６から放出した熱を加湿用空気に与えることにより、加湿させることができ、加湿効率を向上することができる。また、ヒートポンプを用いることにより、従来のヒータにより加熱に比べて消費電力を低減できる。【選択図】図１
2011007424.tif 000002
【特許請求の範囲】
【請求項１】
本体と、気体を吸込む吸気部と、前記気体中の塵を削減する除塵手段と、冷媒を凝縮させる凝縮器と、前記気体を加湿する加湿手段とを備え、前記吸気部側から前記気体の流れに対して、前記本体内に、前記除塵手段、前記凝縮器、前記加湿手段の順に配置し、前記凝縮器の下流側に加湿手段を設けたことを特徴とする空気調和機。
【発明の詳細な説明】
【技術分野】
【０００１】
本発明は、凝縮器と加湿手段を備えた空気調和機に関する。
【背景技術】
【０００２】
従来、この種の空気調和機では、加湿させる為、気体をヒータにより加熱し、この加熱した気体を加湿手段に当てて加湿するようにしている（例えば特許文献１）。
【先行技術文献】
【特許文献】
【０００３】
【特許文献１】特開２００３−２９４２７７号公報
【発明の概要】
【発明が解決しようとする課題】
【０００４】
しかし、従来の空気調和機では、発熱のためにヒータの消費電力が増加し、消費電力を低減して加湿させることは困難であった。
【０００５】
本発明は上記問題点に鑑みてなされたものであり、消費電力を低減して加湿させることができる空気調和機を提供することを目的とする。
【課題を解決するための手段】
【０００６】
請求項１の発明の空気調和機では、本体と、気体を吸込む吸気部と、前記気体中の塵を削減する除塵手段と、冷媒を凝縮させる凝縮器と、前記気体を加湿する加湿手段とを備え、前記吸気部側から前記気体の流れに対して、前記本体内に、前記除塵手段、前記凝縮器、前記加湿手段の順に配置し、前記凝縮器の下流側に加湿手段を設けたことを特徴とする。
【発明の効果】
【０００７】
請求項１の発明によれば、凝縮器から放出した熱を加湿用の気体に与えることにより、加湿させることができ、加湿効率を向上することができる。
【図面の簡単な説明】
【０００８】
【図１】本発明の実施例１を示す空気調和機の内部の側面図である。
【図２】同上、斜視図である。
【図３】同上、内部の斜視図である。
【図４】同上、内部の側面図である。
【図５】同上、内部を透視した斜視図である。
【図６】同上、内部の平面図である。
【図７】同上、ブロック図である。
【図８】同上、蒸発器温度と圧縮機回転数の関係を示すグラフ図である。
【発明を実施するための形態】
【０００９】
以下、添付図面を参照しながら、本発明における空気調和機の好ましい実施例を説明する。
【実施例１】
【００１０】
以下、本発明における空気調和機の実施例１について図１〜図８を参照しながら説明する。同図に示すように、空気調和機１は、合成樹脂などからなる箱型ケース状の本体２を備え、この本体２の前面に吸気部たる吸込口３を設けると共に、その本体２の上面に排気部たる吹出口４を設け、前記吸込口３から吸い込んだ気体たる空気を、前記吹出口４から加湿空気として吹き出す。前記本体２は縦長で、左右方向より前後方向が幅狭に形成されている。
【００１１】
図１などに示すように、前記本体２内には、前記吸込口３側から前後方向に並んで、除塵手段たる除塵フィルタ５，凝縮器６，加湿手段たる加湿フィルタ７，送風手段たる両面吸気送風機８の順に配置されている。尚、除塵フィルタ５は、吸込んだ空気から塵を取り除くものである。
【００１２】
また、前記両面吸気送風機８はケース９を備え、このケース９の一側と他側に吸気口１０，１０Ａを有すると共に、そのケース９の上面側に排気口１１を有し、図６に示すように、前記本体２内には、前記吸込口３，除塵フィルタ５，凝縮器６，加湿フィルタ７，両面吸気送風機８の前側吸気口１０，排気口１１，前記吹出口４の順に空気が流れる第１の空気路１５が形成されている。このようにして、前記吸込口３と前記吹出口４との間で、空気の流れに対して凝縮器６の下流側に加湿フィルタ７を設けている。
尚、前記ケース９内には図示しない送風ファンが設けられ、この送風ファンを回転駆動する駆動手段たるモータ１２が設けられている。
【００１３】
図１に示すように、前記本体２内には、前記加湿フィルタ７の下部に、有底筒状の水タンク７Ａが配置され、この水タンク７Ａ内の水が前記加湿フィルタ７に供給される。
【００１４】
図６に示すように、前記加湿フィルタ７は、左右方向一側において前記本体２の内面と間隔１３が設けられている。また、前記両面吸気送風機８の他側である後側には、蒸発器１４が設けられ、前記本体２内には、前記吸込口３，除塵フィルタ５，前記間隔１３，両面吸気送風機８の吸気口１０Ａ，排気口１１，前記吹出口４の順に空気が流れる第２の空気路１５Ａが形成されている。尚、前記蒸発器１４の後側には、前記本体２の後面２Ａが配置され、第２の空気路１５Ａでは、後面２Ａに当った空気が略１８０度向きを変えて前記吸気口１０Ａに吸い込まれる。
【００１５】
前記本体２の下部には、電源により駆動する圧縮機１６が設けられている。また、前記凝縮器６の出口側と蒸発器１４の入口側とは、電子膨張弁１７により接続され、前記蒸発器１４の出口側と圧縮機１６の入口側とが管路により接続され、その圧縮機１６の出口側と前記凝縮器６の入口側とが管路により接続され、それら凝縮器６，蒸発器１４，圧縮機１６及び電子膨張弁１７などにより、媒体たる冷媒が循環するヒートポンプ１８を構成している。
【００１６】
そして、前記圧縮機１６を駆動すると、気体状態の冷媒が凝縮器６で凝縮し、この際、外部に熱を放出し、凝縮器６で凝縮した冷媒が電子膨張弁１７により膨張して蒸発器１４において気化し、この際、外部から熱を奪い、蒸発器１４で気化した冷媒が再び前記圧縮機１６により凝縮器６へと送られる。この場合、前記電子膨張弁１７の絞り量を、最小の絞り量に設定することにより、凝縮器６と蒸発器１４の圧力差が最小の状態となり、且つ蒸発器１４の温度は上昇し、蒸発器１４において結露が発生し難い温度に制御される。
【００１７】
ところで、凝縮機６が放熱により空気を加熱する一方、蒸発器１４は空気から熱を奪うため、温度が下がって結露が発生すると、この結露により除湿が行われ、この分だけ加湿ロスが発生する。そこで、ＰＭＶ（Ｐｒｅｄｉｃｔｅｄ Ｍｅａｎ Ｖｏｔｅ：予測平均回答）により電子膨張弁１７の絞り量を調整すると共に、圧縮機１６の回転数を調整することによって、蒸発器１６の温度を室内空気の露点温度以上に調節し、結露による加湿ロスの発生を防止している。
【００１８】
図８は縦軸に蒸発器１４の温度を取り、横軸に圧縮機１６の回転する数を取ったグラフ図であり、（Ａ）は電子制御弁１７の絞り量を固定した場合、（Ｂ）はＰＭＶにより絞り量を調節した場合を示し、例えば、ＰＭＶにより絞り量を調節し、圧縮機１６の回転する数を落とすと、蒸発器１４の温度が露点温度Ｔ以上となり、結露が発生しない条件が得られる。
【００１９】
また、前記空気調和機１では、加湿フィルタ７に水を供給しないで、両面吸気送風機８とヒートポンプ１８とを駆動し、蒸発器１４の温度が露点温度以下になるように運転条件を設定することにより、蒸発気１４において除湿を行うことができ、除湿機能を得ることができる。
【００２０】
次に前記構成につき、その作用を説明する。加湿運転を行うと、両面吸気送風機８が駆動し、第１及び第２の空気路１５，１５Ａにおいて、吸込口３から吸い込んだ空気を、吹出口４から吹出す空気の流れが発生する。また、ヒートポンプ１８を駆動すると、凝縮器６から熱が放出され、この熱により第１の空気路１５を流れる空気が加熱されるため、この後、加熱フィルタ７により空気を効率よく吸湿することができる。このようにして加湿された空気が吹出口４から吹き出すため、加湿量を大きくすることができ、且つヒートポンプ１８の成績計数により、従来のヒータに対して、消費電力を削減でき、省電力化を図ることができる。
【００２１】
以上のように本実施例では、本体２と、気体たる空気を吸込む吸気部たる吸込口３と、空気中の塵を削減する除塵手段たる除塵フィルタ５と、冷媒を凝縮させる凝縮器６と、空気を加湿する加湿手段たる加湿フィルタ７とを備え、吸込口３側から空気の流れに対して、本体２内に、除塵フィルタ５、凝縮器６、加湿フィルタ７の順に配置し、凝縮器６の下流側に湿フィルタ７を設けたから、凝縮器６から放出した熱を加湿用空気に与えることにより、加湿させることができ、加湿効率を向上することができる。
【００２２】
また、吸気口３と、吹出口４と、冷媒を圧縮する圧縮機１６と、冷媒を凝縮させる凝縮器６と、冷媒を蒸発させる蒸発器１４とを備え、空気の流れに対して凝縮器６の下流側に加湿手段たる加湿フィルタ７を設けたから、加湿運転時に圧縮機１６を駆動し、凝縮器６から放出した熱を加湿用空気に与えることにより、加湿量を増加させることができ、加湿効率を向上することができる。また、従来のヒータにより加熱に比べて消費電力を低減できる。
【００２３】
また、気体たる空気を加熱して加湿量を増加することができるから、加湿フィルタ７の小型化を図ることができる。さらに、蒸発器１４で除湿を行うことにより、除湿と加湿の切り替え可能な空気調和機１が得られる。
【００２４】
なお、本発明は上記実施例に限定されるものではなく、種々の変形実施が可能である。例えば、実施例では、加湿手段として、加湿フィルタを用いたが、各種の加湿手段を用いることができる。また、送風手段も実施例に限定されることなく、各種のタイプのものを用いることができる。
【符号の説明】
【００２５】
１  空気調和機
２  本体
３  吸込口（吸気部）
４  吹出口（排気部）
５  除塵フィルタ（除塵手段）
６  凝縮器
７  加湿フィルタ（加湿手段）
８  両面吸気送風機（送風手段）
１４  蒸発器
１６  圧縮機
【図１】
2011007424.tif 000003
【図２】
2011007424.tif 000004
【図３】
2011007424.tif 000005
【図４】
2011007424.tif 000006
【図７】
2011007424.tif 000007
【図８】
2011007424.tif 000008
【図５】
2011007424.tif 000009
【図６】
2011007424.tif 000010